(57)【要約】【課題】簡単なＴ字状の構造の布や紙などを材料としたものを枕の外周に巻き込むと共にこの巻き込み状態を簡単に保持できるようにし、したがって枕への取り着けや取り外しが簡単でしかも枕の大きさ、ことに枕の外周の長短に関係なくフリーサイズとして使用できるようにしたピローカバーの提供。【解決手段】所望の枕の表面に巻きつけて使用するピローカバーであって、長尺な巻きつけ片部１に対し、この巻きつけ片部１の一端１ａに、左右に突出する張り出し部３，３を備えた当片部２を一体ないし着脱自在に設けて全体が略々Ｔ字状の形状を備えて成ることを特徴とするピローカバー。【選択図】        図１
2004194989.tif 000002
【特許請求の範囲】
【請求項１】
所望の枕の表面に巻きつけて使用するピローカバーであって、長尺な巻きつけ片部に対し、この巻きつけ片部の一端に、左右に突出する張り出し部を備えた当片部を一体ないし着脱自在に設けて全体が略々Ｔ字状の形状を備えて成ることを特徴とするピローカバー。
【請求項２】
張り出し部には、手の差し入れ可能の袋状部を設けて成ることを特徴とする請求項１記載のピローカバー。
【発明の詳細な説明】
【０００１】
【発明の属する技術分野】
この発明は、種々の形状を有する枕に巻きつけて使用するピローカバーに関する。
【０００２】
【従来の技術】
一般に、睡眠の際は、頭部を枕に載置して使用しているが、枕には種々の形状のものが知られている（例えば、特許文献１および２参照。）。
【０００３】
そして、之等の枕には、殆んど必ず枕カバーが被装され、頭部の整髪料の汚れや、髪自体の汚れ等が直接、枕に附着しないように配慮しており、汚れの都度洗濯などにより反覆使用している。
【０００４】
そして、その多くは筒袋状を備えた布製のものを枕に被せて使用したり、或は枕の表面に載置固定する構造のものを使用したり、更に紙などの不織布を用いた使い捨てのものが知られている（例えば、特許文献３および４参照。）。
【０００５】
【特許文献１】
特開２００２−１７２０５３号公報
【特許文献２】
特開２００１−１６１５３１号公報
【特許文献３】
特開２００２−８５２３３号公報
【特許文献４】
特開平１０−６６６３９号公報
【０００６】
【発明が解決しようとする課題】
ところで、このような従来の枕カバーの内、筒袋状のものは、古くから用いられる構造のもので、普遍的なものとして一般に広く親しまれ、利用されているが、枕の大きさに合った大きさのものを用いなければならず、サイズの大、中、小に夫々適合した大きさの筒袋状のものを用意しなければならず、また、使用の都度枕に被せなければならず、また取り外す時も枕から剥がさねばならず、面倒であるばかりでなく、製造時も筒袋状に縫成しなければならないなど手間が掛かるという課題があった。
【０００７】
この発明は叙上の点に着目して成されたもので、簡単なＴ字状の構造の布や紙などを材料としたものを枕の外周に巻き込むと共にこの巻き込み状態を簡単に保持できるようにし、したがって枕への取り着けや取り外しが簡単でしかも枕の大きさ、ことに枕の外周の長短に関係なくフリーサイズとして使用できるようにしたピローカバーを提供することを目的とする。
【０００８】
【課題を解決するための手段】
この発明は、以下の構成を備えることにより上記課題を解決できるものである。
【０００９】
（１）所望の枕の表面に巻きつけて使用するピローカバーであって、長尺な巻きつけ片部に対し、この巻きつけ片部の一端に、左右に突出する張り出し部を備えた当片部を一体ないし着脱自在に設けて全体が略々Ｔ字状の形状を備えて成ることを特徴とするピローカバー。
【００１０】
（２）張り出し部には、手の差し入れ可能の袋状部を設けて成ることを特徴とする前記（１）記載のピローカバー。
【００１１】
【発明の実施の形態】
以下に、この発明の一実施の形態を説明する。
【００１２】
１は横幅Ｗに対し縦長Ｌを長尺に形成した布または不織布、紙など好みの可撓性材料で形成される巻きつけ片部、２は前記巻きつけ片部１の一端１ａに、一体的に形成される当片部を示し、この巻きつけ片部１の横幅Ｗより夫々左右に突出した張り出し部３，３を一体に備える。したがって、張り出し部３，３、および当片部２は、前記巻きつけ片部１と同一材料の可撓性材料で形成され、全体として略々Ｔ字状の形状を備える。
【００１３】
以上の構成に基づいて、図２と共にこの発明の作用を、使用法の一例として示す。
【００１４】
まず所望の枕Ｐの外周に、巻きつけ片部１をその自由端１ａから巻きつける（（ａ）（ｂ））。
【００１５】
そして、巻きつけ片部１が枕Ｐの外周を一回転して当片部２が自由端１ｂを越えた状態で巻きつけを完了し、巻きつけ片部１と当片部２とを重合状態とし重合部Ａを形成する（（ｃ））。
【００１６】
ついで当片部２の左右に設けた張り出し部３，３を手で把持して巻きつけ片部１と当片部２との重合部Ａの間または枕Ｐとの間に当片部２を巻き込むことにより係止でき、簡単に枕Ｐに被着して完了できる。
【００１７】
そして巻き込んだ個処すなわち当片部２上にして載頭個処を頭当部Ｂとすることも可能だが、この位置を上下反転することにより巻きつけ片部１の中央個処を表にして頭当部Ｂとすることもできる。
【００１８】
また、以上の作用とは別に図３に示すようにして他の使用法により、この発明の作用を説明することができる。
【００１９】
すなわち、全体を内側を上にして、巻きつけ片部１の略々中央個処に枕Ｐを載せ、巻きつけ片部１の自由端１ａと当片部２の外端を、枕Ｐに対して互いに巻きつけ、当片部２を外側にして両者を重合状態とし重合部Ａを形成できる。
【００２０】
そしてその重合部Ａに当片部２の左右の張り出し部３，３を図３（ｃ）に示すように挟み込ませて枕Ｐの表面に確固被着できるものである。
【００２１】
したがって、枕カバーとして被着後は通常の枕と同様に使用できる。
【００２２】
また汚れた場合は、張り出し部３，３を外し枕Ｐとの係止状態を外すことにより拡開して全体を枕Ｐより簡単に取り外すことができ、布製の場合は、洗濯して再び反覆使用できると共に不織布、紙などの場合は使い捨てて焼却ないしは再生可能な再利用可能なゴミとして廃棄できる。
【００２３】
つぎに、図４につき他の実施例を説明する。
【００２４】
この実施例は、基本的構成について巻きつけ片部１と左右の張り出し部３，３を備え全体がＴ字状である点では、前記実施例と同一である。
【００２５】
前実施例の張り出し部３，３に手のひらを差し入れ可能な袋状部４，４を附設し、内側の開口部５，５より両手の手のひらを差し込み、巻きつけた際の巻きつけ片部１と当片部２との重合部Ａに前記実施例と同様に挿し込んで係止させることができるものである。
【００２６】
この実施例では重合部Ａへの張り出し部３，３の挿し込みを簡単かつ能率的に行うことができる。
【００２７】
さらに図５の実施例について説明する。
【００２８】
以上の実施例は、いづれも全体が一枚物の布地や不織布などで巻きつけ片部１と当片部２を形成してＴ字状に形成したが、この実施例では巻きつけ片部１と当片部２とが、巻きつけ片部１の一端１ａにおいて、着脱分離可能な二部材で構成した場合を示し、ホック釦、スナップ釦、ファスナー、または圧着係止具（例えばマジックテープ（Ｒ）など）あるいは粘着材、接着材などの着脱係止具６を用いたものである。
【００２９】
したがって、巻きつけ片部１と当片部２とを互いに異なる材料の可撓性材料を用いて使用することができる。
【００３０】
例えば、巻きつけ片部１には、天然素材・人体環境に優しい素材でしかも抗菌、防カビ対応した繊維を用いたり、また当片部２には、化学繊維の高耐久性・高摩擦係数のものでメッシュ繊維など形状に対応した繊維などを用いるなどは勿論のこと、さらに両部材の巻きつけ片部１と当片部２の配色とか、図柄などの変化とかさらには巻きつけ片部１のみを使い捨ての不織布や紙片を用いることも可能である。
【００３１】
この実施例によれば着脱係止部６によって二つの部材に分離分割できるので、汚れの激しい巻きつけ片部１のみを取外し他の新品と交換によって効率の良い使用が可能であると共に巻きつけ片部１を１枚以上余計に用意して置くことにより洗濯時の予備が可能となり、支障が生じないという利点がある。
【００３２】
以上この発明について、種々の実施の形態について説明したが、図示のものでは、巻きつけ片部１や当片部２は特定の形状のみしか示していないが、その形状はどのようなものでも良く、巻きつけ片部１の形状自体は枕Ｐに巻き込みができるものであれば良く、また当片部２もその左右両側に突出させた張り出し部３，３が、両者の重合部Ａの間や、枕Ｐとの間に挿し込み係止できれば、如何なる形状であっても差しつかえない。
【００３３】
【発明の効果】
この発明によれば広く一般に使用されている円筒状とか偏平状とか或は頭部と頸部の形状に合わせた特殊構造の枕のいかなる構造のものでも、その枕の外周に巻き込んで使用でき、かつ枕の大きさに関係なくフリーサイズで使用可能であると共に当片部の張り出し部によって巻きつけ片部との重合部に挿し込んで確固に係止できるので取付け操作が簡単で能率的に行うことができると共に張り出し部に設けた手のひらの挿込み可能の袋状部により、簡単迅速に枕への取付けを行うことができる。また枕からの取外しも張り出し部を引張り出して係止を外すことにより簡単に外せると共に全体を偏平な一枚のシート状にすることができるので洗濯もしやすく反覆使用を容易にすることが可能である。
【００３４】
さらに、各種材料を同時に又は別々に用いることにより、また巻きつけ片部と当片部との着脱分離を可能にできるので自然にやさしい線維など用途別に組み合せて実施できる等の効果を有する。
【図面の簡単な説明】
【図１】この発明の一実施例を示す平面図
【図２】（ａ），（ｂ），（ｃ），（ｄ），（ｅ）  図１の実施例の使用状態を示す作用の作業工程図
【図３】（ａ），（ｂ），（ｃ）  図１の実施例の使用状態を示す他の作用の作業工程図
【図４】他例を示す平面図
【図５】さらに他例を示す平面図
【符号の説明】
１  巻きつけ片部
２  当片部
３  張り出し部
４  袋状部
５  開口部
Ａ  重合部
Ｂ  頭当部
【図１】
2004194989.tif 000003
【図２】
2004194989.tif 000004
【図３】
2004194989.tif 000005
【図４】
2004194989.tif 000006
【図５】
2004194989.tif 000007